(57)【要約】【課題】  設置する機器の内部構造に係わることなく、簡単な構成で高さや傾きの調整を可能にするとともに、コンパクト化を図り、携行性に優れた位置調整装置を提供する。【解決手段】  プロジェクタ２の姿勢を調整する位置調整機構１であって、プロジェクタ２の左右側面２ａ，２ｂの一部を支点として前後部を上下方向に回動可能に支持する支持フレーム３と、プロジェクタ２とともに支持フレーム３を水平方向に回動するための支持体回動手段４と、プロジェクタ２とともに支持フレーム３を設置するための脚体５と、プロジェクタ２の対向する左右側面２ａ，２ｂを上下方向に移動するための水平調整手段６とを備えたことを特徴とするものとする。【選択図】  図１
2005180555.tif 000002
【特許請求の範囲】
【請求項１】
支持対象物に設けられ該支持対象物の姿勢を調整する位置調整機構であって、
支持対象物の側面を支点として前後部を上下方向に回動可能に支持する支持体と、
前記支持対象物とともに支持体を水平方向に回動するための支持体回動手段と、
前記支持対象物とともに支持体を設置するための脚体と、
前記支持対象物の対向する２側面を上下方向に移動するための水平調整手段とを備えたことを特徴とする位置調整機構。
【請求項２】
前記支持体は、支持対象物の外周に沿って延設され、該支持対象物の一部を包囲するとともに、前記支持体対象物が回動時に支持体の一部と該支持対象物の正面とが近接して対向配置されることを特徴とする請求項１に記載の位置調整機構。
【請求項３】
前記支持体は、前記支持対象物と支持体とを回動可能に連結する連結部を備えたことを特徴とする請求項１または２に記載の位置調整機構。
【請求項４】
前記脚体は、複数脚設けられ、任意の設置面に対して開拡可能に設けられたことを特徴とする請求項１乃至３のうちの何れか一項に記載の位置調整機構。
【請求項５】
前記水平調整手段は、支持体に対して少なくとも前記支持対象物の一方の側面側を上下方向に移動可能とした移動手段を備えたことを特徴とする請求項１乃至４のうちの何れか一項に記載の位置調整機構。
【請求項６】
前記水平調整手段は、支持体に対して前記支持対象物の一側面側を回動可能に軸支する軸支部と、支持体に対して他側面側を上下方向に移動可能とした移動手段とを備えたことを特徴とする請求項５に記載の位置調整機構。
【発明の詳細な説明】
【技術分野】
【０００１】
本発明は、位置調整機構に関し、特に、プロジェクタなどの電子機器類の傾きや高さを調節する位置調整機構に関するものである。
【背景技術】
【０００２】
従来、プロジェクタなどの電子機器類を床やテーブルなどに接地する際に、機器類の水平を出したり所定の姿勢に設置するために、機器類の傾きや高さを調節する必要がある場合がある。そこで、簡便な作業で機器の高さ調整が行えるように、機器に位置調整機構を設けたものが知られている。
【０００３】
例えば、位置調整機構として、外装ケースにピストン部を有する脚部材を外部に突出可能に収納した調整脚を構成し、該調整脚を機器に装着して、脚部材の突出量を規制するロック手段により機器の高さを調整するようにしたもの（特許文献１を参照）や、ボルト状の脚軸を昇降させてストッパ体により脚軸の長さを調整して機器の高さを調整するようにしたもの（特許文献２を参照）などが提案されている。
【０００４】
上述した調整脚は、いずれも高さ調節する為の脚の軸部が機器内部に設けられており、その軸部の長さを調節することにより高さを決めるようにされている。そして、このような調整脚を複数設けることで、高さ、前後方向の傾き、左右方向の傾き等の位置調整が可能となる。
【特許文献１】特開平１１−３１１３９７号公報（第１−６頁、図４）
【特許文献２】特開２００３−１４１９１号公報（第１−１２頁、図１）
【発明の開示】
【発明が解決しようとする課題】
【０００５】
しかしながら、従来の技術においては、機器の高さを調節するための軸部が機器の内部に入り込む為、内部の設計を行う際には調整脚の軸部を避けるように考慮する必要があり、その軸部を収納するスペースを確保するために必要以上に大きくなるという問題があった。
【０００６】
例えば、プロジェクタに位置調整機構を構成する場合は、通常、装置構成上プロジェクタ本体の下側に設けるため、プロジェクタ本体の高さが増加するという問題点があった。また、プロジェクタ投影の広い傾き調整範囲を確保するためには、プロジェクタと設置面との間にプロジェクタの傾き動作を許容する距離が必要であり、そのためにプロジェクタの高さが増大するという問題点があった。
このように、従来の構成では、装置本体が大型化することにより携行性も損なうという問題点があった。
【０００７】
本発明は、上記従来の問題点に鑑みてなされたものであり、設置する機器の内部構造に係わることなく、簡単な構成で高さや傾きの調整を可能にするとともに、コンパクト化を図り、携行性に優れた位置調整装置を提供することを目的とするものである。
【課題を解決するための手段】
【０００８】
本発明は、位置調整機構に係り、支持対象物に設けられ該支持対象物の姿勢を調整する位置調整機構であって、支持対象物の側面を支点として前後部を上下方向に回動可能に支持する支持体と、前記支持対象物とともに支持体を水平方向に回動するための支持体回動手段と、前記支持対象物とともに支持体を設置するための脚体と、前記支持対象物の対向する２側面を上下方向に移動するための水平調整手段とを備えたことを特徴とするものである。
【０００９】
前記支持体は、支持対象物の外周に沿って延設され、該支持対象物の一部を包囲するとともに、例えば、前記支持体対象物を回動させて支持体とともに収納する時に、該支持体の一部と支持対象物の正面とが近接して対向配置されることが好ましい。
【００１０】
また、前記支持体は、前記支持対象物と支持体とを回動可能に連結する連結部を備えることが好ましい。
【００１１】
さらに、前記脚体は、複数脚により構成され、任意の設置面に対して開拡可能とすることが好ましい。
【００１２】
また、前記水平調整手段として、支持体に対して少なくとも前記支持対象物の一方の側面側を上下方向に移動可能とした移動手段を備えることが好ましい。
【００１３】
さらに、前記水平調整手段として、支持体に対して前記支持対象物の一側面側を回動可能に軸支する軸支部と、支持体に対して他側面側を上下方向に移動可能とした移動手段とを備え、前記軸支部を支点として他側面側を上下方向に揺動させて水平調整を行うようにすることが好ましい。
【発明の効果】
【００１４】
本発明の位置調整機構によれば、機器の内部構造に係わることなく、簡単な構成で高さや傾きの調整を容易にできるとともに、コンパクト化を図り、携行性に優れた位置調整装置を実現できるという優れた効果を奏し得る。
【００１５】
詳しくは、本発明の位置調整機構によれば、支持対象物に設けられ該支持対象物の姿勢を調整する位置調整機構であって、支持対象物の側面を支点として前後部を上下方向に回動可能に支持する支持体により上下チルトを可能とし、前記支持対象物とともに支持体を水平方向に回動するための支持体回動手段によりスイベル（回転）を可能とし、前記支持対象物の対向する２側面を上下方向に移動するための水平調整手段により高さの調整や左右チルトを可能とし、さらに、前記支持対象物および支持体を設置するための脚体により安定した設置状態を保つことができる。
【００１６】
また、前記支持体を、支持対象物の外周に沿って延設し、該支持対象物の一部を包囲するとともに、前記支持体対象物が回動時に支持体の一部と該支持対象物の正面とが近接して対向配置するように構成することで、支持対象物を収納する際に該支持対象物の正面および側面（外周部）を覆うことで保護することができる。
【００１７】
さらに、前記支持体として、前記支持対象物と支持体とを回動可能に連結する連結部を備えたことで、支持対象物の動作をスムーズに行うことができる。
【００１８】
また、さらに、前記脚体を複数脚設け、任意の設置面に対して開拡可能に設けることで、使用時には脚体を開拡して設置状態を安定させ、収納時には閉じてコンパクトに収納できるので、携帯時にも最適なコンパクトな位置調整機構を実現できる。
【００１９】
また、前記水平調整手段として、支持体に対して少なくとも前記支持対象物の一方の側面側を上下方向に移動可能とした移動手段を備えたことで、支持対象物の左右チルトを容易に行うことができる。さらに、両側面に移動手段を備えることで、高さ調整も容易に行うことができる。
【００２０】
さらに、また、前記水平調整手段として、支持体に対して前記支持対象物の一側面側を回動可能に軸支する軸支部と、支持体に対して他側面側を上下方向に移動可能とした移動手段とを備えたことで、一側面側を基準にして容易に水平調整や左右チルトを行うことができる。
【発明を実施するための最良の形態】
【００２１】
以下、本発明の最良の実施形態について図面を参照して詳細に説明する。
図１は本発明の実施形態に係る位置調整機構が設けられたプロジェクタの構成を示す説明図、図２は前記プロジェクタと位置調整機構とを収納した状態を示す説明図、図３は前記プロジェクタと位置調整機構の構成を示す側面図ある。
【００２２】
本実施形態は、図１に示すように、支持対象物としてのプロジェクタ２に本発明に係る位置調整機構１を設けたものである。
【００２３】
本実施形態に係る位置調整機構１は、図１に示すように、主に、プロジェクタ２の左右側面２ａ，２ｂの一部を支点として、図中前後方向の正面２ｃおよび後面２ｄを上下方向に回動可能にプロジェクタ２を支持する支持体たる支持フレーム３と、該プロジェクタ２とともに支持フレーム３を水平方向で回動するための支持体回動手段４と、該プロジェクタ２とともに支持フレーム３を設置するための脚体５と、左右側面２ａ，２ｂの傾きを調整するための水平調整手段６（後記にて詳細に説明する。）とにより構成されている。
【００２４】
前記プロジェクタ２は、上下方向に偏平の矩形体を呈し、前後方向と比較して左右幅方向に長く構成され、正面２ｃ（前側）には投射レンズ２ｅが設けられている。
【００２５】
前記支持フレーム３は、板状の合成樹脂材（例えば、プラスチック）で形成され、前記プロジェクタ２の外周面に沿って左右幅方向に渡り形成されたフレーム底部３ｃと、該プロジェクタ２の左右側面２ａ，２ｂの略中央部に取付けられる支持部３ａ，３ｂとが連続的に正面視でコ字状に構成され、プロジェクタ２の左右側面２ａ，２ｂの一部と正面２ｃもしくは後面２ｄとを包囲するように構成されている。
【００２６】
前記フレーム底部３ｃと支持部３ａ，３ｂの幅寸法は、プロジェクタ２の上下方向の高さ寸法と略同等の寸法で形成されている。
【００２７】
そして、前記支持フレーム３は、図２に示すように、プロジェクタ２の収納時に前記フレーム底部３ｃと該プロジェクタ２の正面２ｃ、および支持部３ａ，３ｂと該プロジェクタ２の左右側面２ａ，２ｂの前方寄りの一部とが近接して対向配置するようにされている。すなわち、プロジェクタ２の収納時には、支持フレーム３によって正面２ｃを覆うことで投射レンズ２ｅを保護することができる。
【００２８】
前記支持部３ａ，３ｂは、図３に示すように、先端部３ｆが円弧状に形成され、プロジェクタ２の左右側面２ａ，２ｂの略中央部に連結されて該プロジェクタ２を回動可能に支持するためのプロジェクタ連結部７ａ，７ｂと、一方側（本実施形態では右側面２ａ側）のプロジェクタ連結部７ａを駆動するためのプロジェクタ連結部駆動手段８とが設けられている。
【００２９】
前記プロジェクタ連結部７ａ，７ｂは、筒状を呈し、支持部３ａ，３ｂの先端部３ｆの円弧形状に沿って支持部３ａ，３ｂにそれぞれ回動可能に設けられている。
【００３０】
このプロジェクタ連結部７ａ，７ｂの内周部には、プロジェクタ２の左右側面２ａ，２ｂに突設された係止部７１ａ，７１ｂがそれぞれ配置され、固定ピン７２でプロジェクタ連結部７ａ，７ｂと一体的に取付けられている。すなわち、前記プロジェクタ連結部７ａ，７ｂはプロジェクタ２と一体的に構成されている。
【００３１】
具体的には、プロジェクタ２の右側面２ａのプロジェクタ連結部７ａの外周部には、プロジェクタ連結部駆動手段８からの駆動が伝達されるギア部７３が形成されている。
【００３２】
前記プロジェクタ連結部駆動手段８は、図３に示すように、支持フレーム３の右側の支持部３ａのプロジェクタ連結部７ａの下方に近接して設けられ、主に、駆動源たるモータ８１と、モータ８１の出力軸に一体的に設けられたピニオン８２と、ピニオン８２と噛み合うギア８４と、前記ギア８４と一体的に設けられ前記プロジェクタ連結部７ａのギア部７３と噛み合うウォーム８５とにより構成されている。
【００３３】
支持フレーム３のフレーム底部３ｃには、図４に示すように、その略中央部に支持体回動手段４が設けられている。図４は前記支持体回動手段の構成を示す支持フレームのフレーム底部の底方視図である。
【００３４】
前記支持体回動手段４は、図４に示すように、主に、支持フレーム３のフレーム底部３ｃの中央部に回動可能に取付けられた回転台４１と、前記回転台４１を回動するための回転台駆動手段４２とにより構成されている。
【００３５】
前記回転台４１は、円盤状でフレーム底部３ｃの幅と略同じ直径で形成され、その外周部にはギア部４１ａが形成されている。そして、設置位置に対向する底面４１ｂには、脚体５が４箇所に設けられている。
【００３６】
前記脚体５は、板状を呈し両端部が円弧状に形成され、回転台４１の円周方向で４等配された位置で、一端側５ａを固定端として他端側すなわち自由端５ｂが該底面４１ｂに沿って回動可能に設けられている。
【００３７】
そして、プロジェクタ２使用時には、図１、図４に示すように、４個の脚体５の自由端５ｂを外側に向かい４方向にほぼ９０°開拡して配置し、プロジェクタ２収納時には、図２に示すように、４個の脚体５を支持フレーム３のフレーム底部３ｃのシルエット内に収まるように略平行に並設して収納される。
【００３８】
前記回転台駆動手段４２は、回転台４１に近接して設けられ、主に、駆動源たるモータ４５と、該モータ４５の出力軸に一体的に設けられたピニオン４６と、該ピニオン４６と噛み合うギア４７と、該ギア４７と一体的に設けられ前記回転台４１の外周部に形成されたギア部４１ａと噛み合うウォーム４８とにより構成されている。
【００３９】
次に、水平調整手段６の構成について詳細に説明する。
図５は本実施形態に係るプロジェクタの位置調整機構の一部を構成する水平調整手段の構成を示す正面図であり、図６は前記水平調整手段によるプロジェクタの左右幅方向の動作状態を示す説明図である。
【００４０】
前記水平調整手段６は、図５に示すように、主に、支持フレーム３に対してプロジェクタ２の正面視で右側面２ａ側を回動可能に軸支する軸支部６ａと、支持フレーム３に対して該プロジェクタ２の左側面２ｂ側を上下方向に移動可能としたプロジェクタ移動手段６ｂとにより構成されている。
【００４１】
前記軸支部６ａは、プロジェクタ２の右側面２ａに設けられた係止部７１ａを固定ピン７２によりプロジェクタ連結部７ａに対して回動可能に構成したものである。
前記係止部７１ａは、プロジェクタ２の右側面２ａに一体的に形成されるとともに外側に向かい突出形成され、且つ、その先端側に固定ピン７２が挿嵌されて回転可能な取付け孔７４ａが形成されている。
【００４２】
前記プロジェクタ移動手段６ｂは、プロジェクタ２の左側面２ｂに設けられた係止部７１ｂを固定ピン７２によりプロジェクタ連結部７ｂに対して回動可能にするとともに、プロジェクタ２の上下方向に移動可能構成したものである。
【００４３】
前記係止部７１ｂは、プロジェクタ２の左側面２ｂに別体で形成されるとともに外側に向かい突出形成され、且つ、その先端側に固定ピン７２が挿嵌されて回転可能且つプロジェクタ２の左右幅方向に沿って所定量移動可能な取付け孔７４ｂが横長に形成され、他端側にプロジェクタ２の上下方向に沿う方向に雌ねじ部７５が形成されている。
【００４４】
そして、前記係止部７１ｂは、プロジェクタ２の左側面２ｂ側に設けられた係止部移動手段６０によりプロジェクタ２の左側面２ｂに沿って上下方向に移動可能に取付けられている。
【００４５】
前記係止部移動手段６０は、図５に示すように、主に、駆動源たるモータ６１と、モータ６１の出力軸に一体的に設けられたピニオン６２と、ピニオン６２と噛み合うギア６３と、前記ギア６３と一体的に設けられ前記係止部７１ｂに形成された雌ねじ部７５と螺合するねじバー６４とにより構成されている。
【００４６】
次に、本実施形態の位置調整機構１によるプロジェクタ２の動作について図面を参照して説明する。
図７は本実施形態に係るプロジェクタを使用時に水平に設置した状態を示す側面図である。
【００４７】
プロジェクタ２を使用する場合、図７に示すように、通常、プロジェクタ２本体が水平となるように設置する。
この時、プロジェクタ２の位置調整が必要な場合は以下のように行う。
【００４８】
まず、前記プロジェクタ２の正面を上下方向に調整する場合は、プロジェクタ連結部駆動手段８を動作させて行う。
【００４９】
具体的には、図７に示すように、支持フレーム３の支持部３ａに設けられたモータ８１を駆動して、該モータ８１に取付けられたピニオン８２を介してギア８４を所定方向に回転させ、該ギア８４とともに一体的に回転するウォーム８５によりプロジェクタ連結部７ａのギア部７３を回転させてプロジェクタ連結部７ａを所定方向に回動させる。
【００５０】
このようにして、前記プロジェクタ連結部７ａを回動することにより、プロジェクタ２の正面２ｃを上方もしくは下方に揺動させて位置調整を行うことができる。
【００５１】
次に、プロジェクタ２を水平方向で左右に向かう向きの調整を行う場合は、支持体回動手段４を動作させて行う。
【００５２】
具体的には、図４に示すように、支持体回動手段４を構成する回転台駆動手段４２のモータ４５を駆動して、該モータ４５に取付けられたピニオン４６を介してギア４７を所定方向に回転させ、該ギア４７とともに一体的に回転するウォーム４８により回転台４１のギア部４１ａを回転させて回転台４１を所定方向に回動させる。
【００５３】
このようにして、前記回転台４１を回動することにより、プロジェクタ２を支持フレーム３とともに水平に右方向もしくは左方向に回動させて位置調整を行うことができる。
【００５４】
次に、プロジェクタ２の左右の傾きの調整を行う場合は、水平調整手段６を構成するプロジェクタ移動手段６ｂを動作させて行う。
【００５５】
具体的には、図５、図６に示すように、プロジェクタ移動手段６ｂの係止部移動手段６０を構成するモータ６１を駆動して、該モータ６１に取付けられたピニオン６２を介してギア６３を所定方向に回転させ、該ギア６３とともに一体的に回転するねじバー６４により係止部７１ｂの雌ねじ部７５がプロジェクタ２の左側面２ｂに沿って上下方向に移動する。
【００５６】
本実施形態では、図６に示すように、係止部７１ｂが上方に移動することにより、プロジェクタ２の左側面２ｂ側が相対的に下方に移動する。すなわち、プロジェクタ２は、右側面２ａ側の係止部７１ａ側を支点として、左側が下方に揺動する。
【００５７】
この時、係止部７１ｂの固定ピン７２と係合される部分では、プロジェクタ２が傾くことで支点間の寸法が変わって固定ピン７２の取付け位置が相対的に移動するが、係止部７１ｂの固定ピン７２が取付けられる取付け孔７４ｂが長孔となっているため取付け位置が変動しても移動することができる。
【００５８】
このようにして、係止部７１ｂを上下方向に移動することで、プロジェクタ２の左右の傾きの調整を行うことができる。
【００５９】
次に、プロジェクタ２を収納する時の動作について図面を参照して説明する。
図８は前記プロジェクタを支持フレーム内側に収納した状態を示す側面図である。
【００６０】
プロジェクタ２を収納する場合、図８に示すように、プロジェクタ２の正面２ｃを支持フレーム３のフレーム底部３ｃと略平行に対向するようにして収納する。
【００６１】
具体的には、支持部３ａのモータ８１を駆動して、該モータ８１に取付けられたピニオン８２を介してギア８４を所定方向に回転させ、該ギア８４とともに一体的に回転するウォーム８５によりプロジェクタ連結部７ａのギア部７３を回転させて該プロジェクタ連結部７ａを回動させる。
【００６２】
プロジェクタ連結部７ａの回動するとともにプロジェクタ２が回動し、プロジェクタ２の左右側面２ａ，２ｂの前側が支持フレーム３の支持部３ａ，３ｂ間に位置するとともに、正面２ｃがフレーム底部３ｃと略平行に対向する状態に位置すると収納動作が終了となる。
なお、このプロジェクタ２の収納動作は、モータ８１による駆動をソフト的あるいは電気的、または機械的に自動的に制御するようにしても良い。
【００６３】
以上のように構成したので、本実施形態に係る位置調整機構１によれば、簡単な構成で容易にプロジェクタ２の高さや左右の傾き、左右方向の向きの調整を行うことができる。
【００６４】
また、本実施形態は、支持フレーム３の構成を、プロジェクタ２の収納時にフレーム底部３ｃと該プロジェクタ２の正面２ｃ、および支持部３ａ，３ｂと該プロジェクタ２の左右側面２ａ，２ｂの前方寄りの一部とが近接して対向配置するようにしたので、別体でプロテクタ等を設けることなく、プロジェクタ２の正面２ｃや側面の一部を覆うことで投射レンズ２ｅやプロジェクタ本体の一部を保護することができる。
【００６５】
また、本実施形態は、プロジェクタ２と支持フレーム３とを連結するプロジェクタ連結部７ａを回動するために、モータ８１駆動によるプロジェクタ連結部駆動手段８を設けたことで、自動で容易にプロジェクタ２を上下方向に揺動させることができる。
【００６６】
また、本実施形態は、支持フレーム３のフレーム底部３ｃに、回転台４１を回動するために、モータ４５駆動による回転台駆動手段４２設けたことで、自動で容易にプロジェクタ２を水平方向における左右回りの調整を行うことができる。
【００６７】
また、本実施形態は、回転台４１に開拡可能な脚体５を４脚設けたことで、プロジェクタ２の設置時には、４脚を４方に開拡することで安定した状態で設置することができ、収納時には、４脚を支持フレーム３のフレーム底部３ｃの幅内に平行に畳み込んで収納できるので、コンパクトで携行性に優れた位置調整機構１を実現できる。
【００６８】
また、本実施形態は、前記水平調整手段６として、軸支部６ａによりプロジェクタ２の左右側面２ａ，２ｂのうちの一側面側を回動可能に軸支し、プロジェクタ移動手段６ｂにより他側面側を上下方向に移動可能とするように構成したので、簡単な構成で容易にプロジェクタ２の左右幅方向の傾きを調整することができる。
【００６９】
さらに、前記プロジェクタ移動手段６ｂをモータ駆動により駆動するようにしたので、自動で容易に調整を行うことができる。
【００７０】
なお、本実施形態においては、水平調整手段６を構成する軸支部６ａの構成を、プロジェクタ２側に固定して上下動作を行うことなく回動動作のみを可能とした構成としているが、本発明は、水平調整手段の構成をこれに限定するものではなく、例えば、軸支部６ａをプロジェクタ移動手段６ｂの構成と同様に、上下方向に移動可能な構成としたものであっても良い。このように構成することで、プロジェクタ２の幅方向左右の傾きの調整のみならず、上下方向の高さ調整も可能となる。
【００７１】
また、本実施形態では、プロジェクタ２の一側面側に、プロジェクタ連結部駆動手段８を設けて、一方のプロジェクタ連結部７ａを駆動することでプロジェクタ２を上下方向に揺動するようにしているが、本発明は、プロジェクタ連結部を駆動する構成について、これに限定されるものではなく、例えば、プロジェクタ２の左右側面２ａ，２ｂのプロジェクタ連結部７ａ，７ｂの両方を駆動するようにしたものであってもよい。このように構成することで、左右両側を同時に確実に動作させることができる。
【００７２】
このように、本発明の位置調整機構は、上述した実施形態やその他に記載した構成に限定されるものではなく、本発明の要旨を逸脱しない範囲内において、支持体（支持フレーム）や支持対象物との連結部（プロジェクタ連結部）、支持体回転手段や脚体、および水平調整機構の構成などに種々変更を加え得ることは勿論である。
【図面の簡単な説明】
【００７３】
【図１】本発明の実施形態に係る位置調整機構が設けられたプロジェクタの構成を示す説明図である。
【図２】前記プロジェクタと位置調整機構とを収納した状態を示す説明図である。
【図３】前記プロジェクタと位置調整機構の構成を示す側面図ある。
【図４】前記位置調整機構の一部を構成する支持体回動手段の構成を示す支持フレームのフレーム底部の底方視図である。
【図５】前記位置調整機構の一部を構成する水平調整手段の構成を示す正面図である。
【図６】前記水平調整手段によるプロジェクタの左右幅方向の動作状態を示す説明図である。
【図７】前記プロジェクタを使用時に水平にした状態を示す側面図である。
【図８】前記プロジェクタを支持フレーム内側に収納した状態を示す側面図である。
【符号の説明】
【００７４】
１  位置調整機構
２  プロジェクタ（支持対象物）
２ａ  右側面
２ｂ  左側面
３  支持フレーム（支持体）
３ａ，３ｂ  支持部
３ｃ  フレーム底部
４  支持体回動手段
５  脚体
６  水平調整手段
６ａ  軸支部
６ｂ  プロジェクタ移動手段
７ａ，７ｂ  プロジェクタ連結部（連結部）
８  プロジェクタ連結部駆動手段
４１  回転台
４１ａ  ギア部
４２  回転台駆動手段
４５、６１、８１  モータ
４６、６２、８２  ピニオン
４７、６３、８４  ギア
４８、８５  ウォーム
６０  係止部移動手段
７１ａ、７１ｂ  係止部
７３  ギア部
７４ａ、７４ｂ  取付け孔
【図１】
2005180555.tif 000003
【図２】
2005180555.tif 000004
【図３】
2005180555.tif 000005
【図４】
2005180555.tif 000006
【図５】
2005180555.tif 000007
【図６】
2005180555.tif 000008
【図７】
2005180555.tif 000009
【図８】
2005180555.tif 000010